(57)【要約】【課題】図書館や学校など本の汚れや破損防止のためにブックカバーを透明な粘着フィルムで覆って本を保護する需要が増加し、スピードアップと大量生産の要求に応えるために、効率よく且つ見栄えのよい仕上がりが得られる本のカバー掛け方法及びフィルムとブックカバーの貼り合わせ装置を提供する。【解決手段】複数枚のブックカバーをベルトコンベア上に配置する工程と、離型紙が裏打ちされていない粘着剤又は接着剤を片面に設けた透明又は半透明な合成樹脂製フィルムをブックカバーの上から被せ回転する圧着ローラーで圧着する工程と、前記圧着したブックカバー被覆物における各ブックカバーの四隅の角部分を裁断するとともに中央の背部近傍に切り込みを形成し、隣接するブックカバーとブックカバーの中間部でそれぞれ切断する加工工程と、ブックカバーを本の表紙に固着する工程とを備えた。【選択図】図１
2010188559.tif 000002
【特許請求の範囲】
【請求項１】
離型紙が裏打ちされていない粘着剤又は接着剤を片面に設けた透明又は半透明な合成樹脂製フィルムを用いる本のカバー掛け方法において、複数枚のブックカバーを、ベルトコンベア上に長手方向に間隔をおいて且つブックカバーの裏面側をベルトコンベア側に向けて配置する工程と、前記合成樹脂製フィルムの粘着剤又は接着剤面を前記ベルトコンベア側に向けてブックカバーの上から被せるとともに回転する圧着ローラーで圧着する工程と、前記圧着したブックカバー被覆物における各ブックカバーの四隅の角部分を裁断するとともに中央の背部近傍に切り込みを形成し、隣接するブックカバーとブックカバーの中間部でそれぞれ切断する加工工程と、前記加工を施したブックカバー被覆物を本に被せて前記フィルムを本の表紙の裏側に貼り付けてブックカバーを本の表紙に固着する工程とを備えたことを特徴とする本のカバー掛け方法。
【請求項２】
前記複数枚のブックカバーをベルトコンベア上に配置する工程において、ブックカバーの左右両側の折返し部から両端部を内側に折返した状態で複数枚のブックカバーを長手方向に間隔をおいて配置することを特徴とする請求項１記載の本のカバー掛け方法。
【請求項３】
前記ブックカバー被覆物の切断乃至加工工程において、レーザービームを用いてブックカバー被覆物を切断し、裁断し又は切り込みを形成することを特徴とする請求項１または２記載の本のカバー掛け方法。
【請求項４】
離型紙が裏打ちされていない粘着剤又は接着剤を片面に設けた透明又は半透明な合成樹脂製フィルムとブックカバーの貼り合わせ装置において、貼り合わせ装置の基体となるフレームと、ロール状の前記合成樹脂製フィルムを掛架するフィルム掛架装置と、ブックカバーを間欠移送するベルトコンベアと、該ベルトコンベアを所定の長さだけ間欠的に移送する間欠移送部と、前記ベルトコンベア上にブックカバーを間隔をおいて配置するブックカバー供給部と、前記ベルトコンベア上にブックカバーと前記合成樹脂製フィルムがこの順に重ねられた材料を圧着する圧着ローラーと、圧着された前記ブックカバー被覆物を捲き取る捲取装置とを備えたことを特徴とするフィルムとブックカバーの貼り合わせ装置。
【請求項５】
前記捲取装置に代えて前記ブックカバー被覆物を隣接するブックカバーとブックカバーの中間でそれぞれ切断する切断装置を備えたことを特徴とする請求項４記載のフィルムとブックカバーの貼り合わせ装置。
【請求項６】
前記フレームには、上部にベルトコンベアに近接してベルトコンベアの吸引孔と対応可能な位置に複数の貫通孔を穿設した有孔平板が設けられており、該有孔平板の貫通孔とベルトコンベアの吸引孔が移送中に重合可能な状態で前記エンドレス状ベルトコンベアが間欠移送可能に設置され、前記吸引孔を介して空気を吸引することによって前記吸引孔端面を負圧にしてブックカバーを前記ベルトコンベアの表面に吸着固定させるための空気吸引装置を備えることを特徴とする請求項４または５記載のフィルムとブックカバーの貼り合わせ装置。
【請求項７】
請求項４〜６の何れかに記載のフィルムとブックカバーの貼り合わせ装置において、空気吸引装置に代えて、又は、前記空気吸引装置とともに前記ベルトコンベアと連動する押さえベルトをベルトコンベアに対向して設け、ブックカバーを前記ベルトコンベアと押さえベルトの間に挟持させて移送することを特徴とするフィルムとブックカバーの貼り合わせ装置。
【請求項８】
前記ブックカバー供給部は、先端にブックカバーを吸着する複数の吸引パッドを有しブックカバー面に対して垂直方向に垂直移動可能な垂直移動装置と、該垂直移動装置に連結しベルトコンベアの移送方向に移動可能な水平動装置とを備え、ベルトコンベアが停止時にブックカバーをベルトコンベア上の所定位置に載置することを特徴とする請求項４〜７の何れかに記載のフィルムとブックカバーの貼り合わせ装置。
【請求項９】
前記ブックカバー供給部は、前記吸引パッドの昇降動作と関連づけて昇降可能なブックカバー押さえ板を水平方向に備えることを特徴とする請求項４〜８の何れかに記載のフィルムとブックカバーの貼り合わせ装置。
【請求項１０】
前記ブックカバー供給部は、複数の吸引パッドが切替弁を介して真空ポンプと連結されており、前記切替弁を切り替えることにより負圧を発生させる吸引パッドを選択可能に備えてなることを特徴とする請求項４〜９の何れかに記載のフィルムとブックカバーの貼り合わせ装置。
【請求項１１】
前記ブックカバーの貼り合わせ装置において、センサーがベルトコンベア移送中におけるブックカバーの終端を検出するとベルトコンベアが停止して次のブックカバーをベルトコンベア上に所定の間隔をおいて配置後、再度ベルトコンベアが移送する、前記一連の動作をコントロールする制御装置を備えることを特徴とする請求項４〜１０の何れかに記載のフィルムとブックカバーの貼り合わせ装置。
【請求項１２】
前記ベルトコンベアのブックカバーが載置される位置に連続する着色帯状部を設け、色差センサーが前記着色帯状部とブックカバーの色差を検出することによってブックカバーの終端を検出することを特徴とする請求項４〜１１の何れかに記載のフィルムとブックカバーの貼り合わせ装置。
【請求項１３】
前記ベルトコンベアは、本が載置される位置に連続する光透過部を設け、前記光透過部を通過する直線上の一端に設けた投光部と他端に設けた受光部を備えた透過式光センサーを設けて、係る透過式光センサーによってブックカバーの終端を検出することを特徴とする請求項４〜１２の何れかに記載のフィルムとブックカバーの貼り合わせ装置。
【発明の詳細な説明】
【技術分野】
【０００１】
本発明は、本の汚れや破損を防止するためにブックカバーを透明な粘着フィルムで覆って本の表紙に固着するための本のカバー掛け方法及びフィルムとブックカバーの貼り合わせ装置であって、より詳細には、粘着面に離型紙が裏打ちされていない粘着フィルムを用いる本のカバー掛け方法及び自動化したブックカバーの貼り合わせ装置に関する。
【背景技術】
【０００２】
従来、本の表紙の全面に透明なフィルムを貼着する場合に、本の表紙に直接透明粘着フィルムを貼り付けるか又は本の表紙にブックカバーを掛けた状態でその上から透明粘着フィルムを覆って貼り付けていた。しかし、透明粘着フィルムと本の表紙又はブックカバーとの間に空気を巻き込むと、見栄えが悪くなるために透明粘着フィルムの上からスポンジや布で擦って空気を抜く作業が不可欠であった。この作業には根気と熟練を要するばかりでなく、時間がかかることからコストアップの要因ともなり問題であった。
【０００３】
前記問題点を解消するために、下記のような発明が開示されている。しかし、特許文献１記載のブックカバー貼付機は、２連コンベヤベルトに対して直角方向から書籍を閉じた状態で挿入して書籍に透明粘着フィルムを貼付けていた。特許文献２記載のブックカバーかけ器は、透明粘着フィルムの粘着面上に書籍の双方の表紙を展開して置き、表紙にフィルムを貼付けていた。何れの場合も、透明粘着フィルムと本の間の空気抜きの作業は改良されているが充分ではなく、本を直接装置にセットするための時間が掛かるために作業性向上の妨げになるとともに扱いが煩雑であるという問題がある。そこで、本発明者はブックカバーを本から取り外して粘着フィルムを貼り合わせるカバー掛け方法と貼り合わせ装置に関する特許を取得した（特許文献３参照）。
【先行技術文献】
【特許文献】
【０００４】
【特許文献１】特開平１−２１４４８３号公報
【特許文献２】実開昭５４−６８９２５号公報
【特許文献３】特許第４０９５１０９号公報
【発明の概要】
【発明が解決しようとする課題】
【０００５】
近年、概ね本の表紙には本の内容を示したり装飾のためのブックカバーが装着しており、本の表紙にブックカバーを掛けた状態でその上から透明粘着フィルムを覆って貼り付けていた従来方式に比較すれば、特許文献３の発明は格段にスピードアップし、見栄えも良く仕上がりに優れている。しかし、従来使用されている粘着フィルムは、ロール捲き状にすると粘着剤がフィルムの反対面に転写する等の不都合を防止するために、通常、粘着面に離型紙が裏打ちされており、コストアップの要因になるばかりでなく、貼り合わせ時に離型紙を剥がす手間を要するとともに貼り合わせ装置を複雑化し資源の無駄を生じる観点から好ましくなかった。本発明者は、粘着フィルムとこの粘着フィルムを用いる本のカバー掛け方法とその装置について鋭意研究した結果、離型紙が裏打ちされていなくても貼り合わせ作業に支障を及ぼさない粘着フィルムとこの粘着フィルムを用いるブックカバーの貼り合わせ装置の改良に成功し本発明に想到するに至ったものであり、本発明の目的は、近年、図書館や学校など本の汚れや破損防止のためにブックカバーを透明な粘着フィルムで覆って本を保護する需要が益々増加するに伴い、スピードアップと大量生産の要求が高まっており、係る要求に応えるために、本の表紙に直接透明粘着フィルムを貼り付けていた従来の作業を改善し、離型紙が裏打ちされていない粘着フィルムを用いて機械化・自動化することによって、前記問題点を解消し、効率よく且つ見栄えのよい仕上がりが得られる本のカバー掛け方法及びフィルムとブックカバーの貼り合わせ装置を提供することにある。
【課題を解決するための手段】
【０００６】
前記の課題を解決するために、本発明は、離型紙が裏打ちされていない粘着剤又は接着剤を片面に設けた透明又は半透明な合成樹脂製フィルムを用いる本のカバー掛け方法において、複数枚のブックカバーを、ベルトコンベア上に長手方向に間隔をおいて且つブックカバーの裏面側をベルトコンベア側に向けて配置する工程と、前記合成樹脂製フィルムの粘着剤又は接着剤面を前記ベルトコンベア側に向けてブックカバーの上から被せるとともに回転する圧着ローラーで圧着する工程と、前記圧着したブックカバー被覆物における各ブックカバーの四隅の角部分を裁断するとともに中央の背部近傍に切り込みを形成し、隣接するブックカバーとブックカバーの中間部でそれぞれ切断する加工工程と、前記加工を施したブックカバー被覆物を本に被せて前記フィルムを本の表紙の裏側に貼り付けてブックカバーを本の表紙に固着する工程とを備えたことを特徴とする本のカバー掛け方法とする（請求項１）。
【０００７】
また、前記の課題を解決するために、本発明は、前記複数枚のブックカバーをベルトコンベア上に配置する工程において、ブックカバーの左右両側の折返し部から両端部を内側に折返した状態で複数枚のブックカバーを長手方向に間隔をおいて配置することを特徴とする前記の本のカバー掛け方法とすることが好ましい（請求項２）。
【０００８】
また、前記の課題を解決するために、本発明は、前記ブックカバー被覆物の切断乃至加工工程において、レーザービームを用いてブックカバー被覆物を切断し、裁断し又は切り込みを形成することを特徴とする前記の本のカバー掛け方法とすることが好ましい（請求項３）。
【０００９】
また、前記の課題を解決するために、本発明は、離型紙が裏打ちされていない粘着剤又は接着剤を片面に設けた透明又は半透明な合成樹脂製フィルムとブックカバーの貼り合わせ装置において、貼り合わせ装置の基体となるフレームと、ロール状の前記合成樹脂製フィルムを掛架するフィルム掛架装置と、ブックカバーを間欠移送するベルトコンベアと、該ベルトコンベアを所定の長さだけ間欠的に移送する間欠移送部と、前記ベルトコンベア上にブックカバーを間隔をおいて配置するブックカバー供給部と、前記ベルトコンベア上にブックカバーと前記合成樹脂製フィルムがこの順に重ねられた材料を圧着する圧着ローラーと、圧着された前記ブックカバー被覆物を捲き取る捲取装置とを備えたことを特徴とするフィルムとブックカバーの貼り合わせ装置とする（請求項４）。
【００１０】
また、前記の課題を解決するために、本発明は、前記捲取装置に代えて、又は前記空気吸引装置とともに、前記ブックカバー被覆物を隣接するブックカバーとブックカバーの中間でそれぞれ切断する切断装置を備えたことを特徴とする前記のフィルムとブックカバーの貼り合わせ装置とすることが好ましい（請求項５）。
【００１１】
また、前記の課題を解決するために、本発明は、前記フレームには、上部にベルトコンベアに近接してベルトコンベアの吸引孔と対応可能な位置に複数の貫通孔を穿設した有孔平板が設けられており、該有孔平板の貫通孔とベルトコンベアの吸引孔が移送中に重合可能な状態で前記エンドレス状ベルトコンベアが間欠移送可能に設置され、前記吸引孔を介して空気を吸引することによって前記吸引孔端面を負圧にしてブックカバーを前記ベルトコンベアの表面に吸着固定させるための空気吸引装置を備えることを特徴とする前記のフィルムとブックカバーの貼り合わせ装置とすることが好ましい（請求項６）。
【００１２】
また、前記の課題を解決するために、本発明は、前記のフィルムとブックカバーの貼り合わせ装置において、前記空気吸引装置に代えて、又は、前記空気吸引装置とともに前記ベルトコンベアと連動する押さえベルトをベルトコンベアに対向して設け、ブックカバーを前記ベルトコンベアと押さえベルトの間に挟持させて移送することを特徴とするフィルムとブックカバーの貼り合わせ装置とすることが好ましい（請求項７）。
【００１３】
また、前記の課題を解決するために、本発明は、前記ブックカバー供給部は、先端にブックカバーを吸着する複数の吸引パッドを有しブックカバー面に対して垂直方向に垂直移動可能な垂直移動装置と、該垂直移動装置に連結しベルトコンベアの移送方向に移動可能な水平動装置とを備え、ベルトコンベアが停止時にブックカバーをベルトコンベア上の所定位置に載置することを特徴とする前記の何れかに記載のフィルムとブックカバーの貼り合わせ装置とすることが好ましい（請求項８）。
【００１４】
また、前記の課題を解決するために、本発明は、前記ブックカバー供給部は、前記吸引パッドの昇降動作と関連づけて昇降可能なブックカバー押さえ板を水平方向に備えることを特徴とする前記のフィルムとブックカバーの貼り合わせ装置とすることが好ましい（請求項９）。
【００１５】
また、前記の課題を解決するために、本発明は、前記ブックカバー供給部は、複数の吸引パッドが切替弁を介して真空ポンプと連結されており、前記切替弁を切り替えることにより負圧を発生させる吸引パッドを選択可能に備えてなることを特徴とする前記のフィルムとブックカバーの貼り合わせ装置とすることが好ましい（請求項１０）。
【００１６】
また、前記の課題を解決するために、本発明は、前記ブックカバーの貼り合わせ装置において、センサーがベルトコンベア移送中におけるブックカバーの終端を検出するとベルトコンベアが停止して次のブックカバーをベルトコンベア上に所定の間隔をおいて配置後、再度ベルトコンベアが移送する、前記一連の動作をコントロールする制御装置を備えることを特徴とする前記のフィルムとブックカバーの貼り合わせ装置とすることが好ましい（請求項１１）。
【００１７】
また、前記の課題を解決するために、本発明は、前記ベルトコンベアのブックカバーが載置される位置に連続する着色帯状部を設け、色差センサーが前記着色帯状部とブックカバーの色差を検出することによってブックカバーの終端を検出することを特徴とする前記のフィルムとブックカバーの貼り合わせ装置とすることが好ましい（請求項１２）。
【００１８】
また、前記の課題を解決するために、本発明は、前記ベルトコンベアは、本が載置される位置に連続する光透過部を設け、前記光透過部を通過する直線上の一端に設けた投光部と他端に設けた受光部を備えた透過式光センサーを設けて、係る透過式光センサーによってブックカバーの終端を検出することを特徴とする前記のフィルムとブックカバーの貼り合わせ装置とすることが好ましい（請求項１３）。
【発明の効果】
【００１９】
本発明の本のカバー掛け方法及びフィルムとブックカバーの貼り合わせ装置は、ブックカバーをベルトコンベア上に配置して、その上から透明又は半透明な粘着フィルムの粘着面をベルトコンベア側に向けてブックカバーの上から被せるとともに回転する圧着ロールで圧着することによって、従来の、本に粘着フィルムを貼り合わせる立体的作業を、ブックカバーに粘着フィルムを貼り合わせる平面的作業に置き換えことによる、連続作業の自動化が可能となり、且つ確実な空気抜きによる空気溜まりが防止できるのでスピードアップと仕上がりの良さが確保できる効果を奏する。更に、従来、粘着フィルムは、粘着面に離型紙が裏打ち材として使用されていたのであるが、本発明に使用される粘着フィルムは、高価な離型紙を裏打ちしていないために使用時に離型紙を取り除く手間が省け、しかも離型紙を廃棄する無駄がなく経済的であるばかりでなく、ブックカバーの貼り合わせ装置においては離型紙を取り除く手段が省けてコンパクトで取り扱い易い。また、使用される粘着剤又は接着剤はフィルムの片側にのみ付着し、反対面側には付着しづらい構成となっているので、ブックカバー被覆物をロール状に捲き取ってもブックカバー被覆物同士が癒着したり粘着剤が転写したりすることはない。しかも、自動化することにより、さらなるスピードアップと人件費の削減が可能となる。フィルムとブックカバーの貼り合わせ装置は、コンパクトで操作も簡単なので、熟練を要することもなく操作手順を習うだけで誰でも取り扱いができる。
【図面の簡単な説明】
【００２０】
【図１】本発明の第１実施の形態に係るフィルムとブックカバーの貼り合わせ装置の全体を示す説明図である。
【図２】連続状ブックカバー被覆物を示す説明図である。
【図３】ブックカバー被覆物の加工部を示す説明図である。
【図４】加工後のブックカバーを本の表紙に貼り付ける際の貼り付け部を示す説明図である。
【図５】ブックカバーをフィルムと貼り合わせる前のブックカバーの切断部を示す説明図である。
【図６】本発明の第１実施の形態に係るフィルムとブックカバーの貼り合わせ装置の本体部分の平面図である。
【図７】本発明の第２実施の形態に係るフィルムとブックカバーの貼り合わせ装置の全体を示す説明図である。
【図８】第７図のブックカバー供給部の部分拡大図である。
【図９】第７図の押さえベルト装置の部分拡大図である。
【図１０】ブックカバー被覆物を本の表紙に固着する手順を示す説明図である。
【発明を実施するための形態】
【００２１】
次に、本発明を実施するための形態（以下「実施の形態」と称する）について図面を参照して説明する。しかしながら本願発明は係る実施の形態によって何ら限定されるものではない。図１及び６は、第１実施の形態に係る離型紙が裏打ちされていない粘着剤又は接着剤を片面に設けた合成樹脂製フィルム又はシート（以下略して「粘着フィルム」と称する）とブックカバーの貼り合わせ装置を示す。図２は、前記貼り合わせ装置によって、圧着貼り合わせた連続状ブックカバー被覆物を示す。図３は、ブックカバー被覆物の加工部を示し、図４は、加工後のブックカバーを本の表紙に貼り付ける際の貼り付け部を示し、図５は、ブックカバーをフィルムと貼り合わせる前のブックカバーの切断部を示す。図７〜９は、第２実施の形態に係るフィルムとブックカバーの貼り合わせ装置を示す。
【００２２】
本発明においては、長尺ロール状で供給される離型紙が裏打ちされていない粘着フィルムを主として使用する。このロール状の粘着フィルムの捲きを解く際に粘着剤が、当接するフィルムの反対面に転写する等の作業上の支障が生じない限り粘着剤や合成樹脂製フィルムの素材が特に限定されるものではないが、例えば、ポリエチレンやポリプロピレンなどのポリオレフィン系等合成樹脂製フィルムの片面をコロナ放電処理、プラズマ処理、電子線照射又は表面処理剤等でコートしてフィルム表面を活性化したものが、粘着剤をより強固に保持し反対面への転写を防ぐことから好ましい。また、合成樹脂製フィルムの素材は透明又は半透明性を備えた合成樹脂であれば特に限定されないが、前記ポリオレフィン系樹脂の他に、エチレン・酢酸ビニル共重合体、ポリ塩化ビニル、各種エラストマー、又はこれらの共重合体ないし混合物等でもよい。また、粘着剤塗布面を粘着剤の溶剤とＳＰ値（solubility parameter 溶解度係数）が近似する又は親和性の高い合成樹脂で構成し、反対面を粘着剤と親和性の低い樹脂で構成する多層フィルムとして構成してもよい。また、粘着フィルムに代えてホットメルト系接着剤を片面に塗布又は積層したフィルムを使用することも可能である。ホットメルト系接着剤としては、ナイロン系又はポリエステル系接着剤が好ましい。更に、ホットメルト系接着剤に代えて加圧時に粘着性を発揮するマイクロカプセル内包接着剤等の感圧接着剤を片面に塗布又は積層したフィルムを使用することも可能である。ホットメルト系接着剤や感圧接着剤を使用したフィルムは接着剤が裏面に転写することがなく加工し易い点で好ましい。
【００２３】
第１実施の形態に係るブックカバーの貼り合わせ装置について以下に説明する。離型紙を裏打ちしない粘着フィルムＦ１をブックカバーＢ１に貼り合わせるブックカバーの貼り合わせ装置１は、図１及び６に示すように、貼り合わせ装置の基体となるフレーム２と、ロール状の粘着フィルムＦ１を掛架するフィルム掛架装置３と、ブックカバーを間欠移送するベルトコンベア４と、ベルトコンベア移送中におけるブックカバーの終端を検出するセンサーＳ、タイマーＴ及びモーターＭ（サーボモーター、ステッピングモーター等が好ましい）の回転・伝動を制御するコントローラＣとからなる間欠移送部５と、前記ベルトコンベア４にブックカバーを間隔をおいて配置するブックカバー供給部６と、ベルトコンベア上のブックカバーがずれないようにブックカバーを押さえる昇降可能な押さえローラー７と、前記ベルトコンベア上にブックカバーＢ１と粘着フィルムＦ１がこの順に重ねられた材料を圧着する昇降可能なゴム製の圧着ローラー８及びバックアップ部８ａ（例えばバックアップローラー又は板状体等）と、圧着されたブックカバー被覆物Ｂ２を移送する移送用ローラー９と、前記ブックカバー被覆物Ｂ２を捲き取る捲取装置１０と、制御盤１６及び操作スイッチ板１７とを備えている。また、必要に応じてフィルム掛架装置３と圧着ローラー８の間にエキスパンダローラー１１を設けてもよい。エキスパンダローラー１１は、貼り合わせ時の皺の発生を防止するために、両側より中央部に向かってやや太いテーパー状に形成することが好ましい。
【００２４】
フレーム２の前後には一対の回転ローラー１２ａ，１２ｂが設けられており、吸引孔４１を備えたエンドレス状のベルトコンベア４がこれらのローラーに張架されている。一方のローラー１２ｂは連動ローラーであり、他方のローラー１２ａは駆動ローラーであって駆動ローラーは間欠移送部５を介してモーターＭに連結されている。このベルトコンベアのブックカバーが載置される位置から圧着ローラー８に至る領域には、上部のベルトコンベア４ａの裏面に近接する状態で、ベルトコンベアの吸引孔４１と対応可能な位置に複数の貫通孔を穿設した有孔平板１３が設けられており、該有孔平板１３の貫通孔とベルトコンベアの吸引孔が移送中に重なり合うことが可能な状態で設置されている。前記有孔平板１３は下方に負圧室１４を形成しパイプ１５を介して真空ポンプＰに連結されている。負圧室は吸引口の部分でのみ外部と連通し、その他の部分は機密状態に保持されている。前記真空ポンプの作用により有孔平板の貫通孔を通じて吸引孔の開口部は負圧を生じ吸着面を構成し、ブックカバーを前記ベルトコンベアの表面に吸着固定する。
【００２５】
ベルトコンベア４は、粘着フィルムＦ１の粘着剤が転写・付着し難い素材からなり、例えば、シリコンゴム等のゴム・エラストマー製、シリコンゴムやフッ素樹脂をコーティングした厚手の布製、不織布製又はステンレス製等の金属製薄板等が好ましい。吸引孔及び貫通孔の形状は、特に限定されないが、例えば、吸引孔を円形状にして、貫通孔を円形状、長溝状、長方形状、網目又はハニカム状等に形成することが好ましい。本実施の態様では、図６に示すように、吸引孔と貫通孔は共に円形状で吸引孔を貫通孔よりやや大きく形成した。ベルトコンベアが走行中に吸引孔と貫通孔が重なり合う位置にベルトコンベアの幅方向に４列平行に長手方向に間隔をおいて多数の吸引孔を穿設した。前記実施の態様において、ブックカバーで覆われた吸引孔の部分は閉鎖されるが、ブックカバーとブックカバーの中間部分に位置する吸引口は開放されているので空気漏れを生じ吸引力を低下させる虞がある。そこで、吸引力の低下を防ぐには、ベルトコンベアのブックカバーとブックカバーの中間に当たる部分に吸引口を穿設せずに飛ばして、ブックカバーが載置される場所に複数の吸引口を穿設することが好ましい（図示せず）。そして、最初にベルトコンベアを作動させる時に、最初の一枚目のブックカバーが、吸引孔を閉鎖する位置に置かれ且つ吸引孔と貫通孔が重なるようにベルトコンベアの走行開始位置を調整しておけば、ベルトコンベアの移送速度が一定であり、ブックカバーが定位置に供給される結果、ブックカバーは常にベルトコンベアの吸引孔を閉鎖する位置に置かれることとなり空気漏れは生じないので、吸引力の低下を防ぎブックカバーをベルトコンベアに確実に吸着固定することができる。
【００２６】
前記ブックカバー供給部６は、先端にブックカバーを吸着する４個の吸引パッド６１を有し、ブックカバー面に対して垂直方向にスライド可能な垂直移動装置であるシリンダー６２と、該シリンダーを支持するアーム６３と、該アームを支持しスライドガイド６４に沿ってベルトコンベアの移送方向にスライド可能な水平移動装置である支持体６５と、前記アームをスライド方向に移動・固定させて隣接するブックカバーとブックカバーの間隔を近接離間させる図示しない調整装置とを備え、ベルトコンベアが停止時にフィードテーブル６６上のブックカバーに吸引パッドを当接して真空ポンプによって内部を負圧にして吸着し、シリンダーで持ち挙げてベルトコンベア上の所定位置にスライド移動しブックカバーを所定位置に載置する。また、フィードテーブル６６には、ブックカバーがフィードテーブルの幅方向の中央部に位置するように２枚の細長い板状の幅寄せガイド６７，６７をブックカバーの天地方向の長さだけ間隔を開けており、ブックカバーの大きさに応じて中央を基点にして幅寄せハンドル６７ａで間隔が調整可能に設けられている。この２枚の幅寄せガイド６７，６７はフィードテーブルのブックカバーをストックする場所に設置する。更にフィードテーブル６６から押さえローラー７乃至圧着ローラー８の近傍に至るまで延長して設けてもよい。フィードテーブル６６の前方には、ブックカバーの前辺部を揃えるための前寄せガイド６８が設けられる。また、ブックカバーの最上段の位置が一定になるようにブックカバーのストック量に応じてフィードテーブルの高さを調整する、モーターＭとテーブル昇降ハンドル６９ａと図示しないテーブル昇降センサーからなる高さ調整装置６９を設け、昇降センサーでブックカバーの最上段の高さを感知してフィードテーブルを自動的に昇降させるように構成してもよい。但し、ブックカバーのストック枚数が１００枚程度であれば、フィードテーブルは固定式でもよい。
【００２７】
前記の間欠移送部５は、ベルトコンベア移送中におけるブックカバーの通過を検出するセンサーＳ、タイマーＴ及びサーボモーター、ステッピングモーター等からなるモーターＭの回転・伝動を制御するコントローラＣとからなる。センサーＳは、ベルトコンベア移送中におけるブックカバーの終端を検出する機能を有する限り、センサーの種類を限定するものではないが、例えば、本実施の形態では、フィルム掛架装置３のフィルム支持スタンド３１に横架した横桟３２に色差センサーＳをベルトコンベア方向に向けて左右何れか片側又は両側に１又は２個取り付けるとともに、前記色差センサーＳが検出する位置に対応するベルトコンベア領域に着色帯状部である所定の色を着色した着色テープＡを固定しておき、色差センサーがブックカバーの終端を検出したとき、即ち、着色テープＡの色を検出したとき、色差センサーは制御盤のコントローラに信号を送信し、コントローラＣがベルトコンベアを移送するモーターＭの回転を停止するとともに、ブックカバー供給部５に対して次のブックカバーをベルトコンベアに供給する指示を発するように構成される。
【００２８】
次に、ブックカバーの貼り合わせ装置を使用してブックカバーに粘着フィルムを貼り合わせる方法について説明する。先ず貼り合わせ装置１のフィルム掛架装置３に離型紙を裏打ちしていない粘着フィルムＦ１を粘着面がブックカバー側に向くようにセットする。ブックカバーの左右両側の折返部Ｂ５を内側に折返した状態にして、裏面側を下方（ベルトコンベア側）に向けてフィードテーブル６６に載置する。このとき、ブックカバーがフィードテーブルの前寄せガイド６８及び両側の幅寄せガイド６７にピッタリと近接するように幅寄せガイド６７の幅をハンドル６７ａで調整し、フィードテーブルの高さを昇降ハンドル６９ａで調整する。そして、最初の一枚目のブックカバーが、吸引孔を閉鎖する位置に置かれるようにベルトコンベアの走行開始位置を調整する。
【００２９】
準備が整ったら、操作スイッチ盤１７の起動スイッチを入れると、ブックカバー供給部６がフィードテーブル６６上のブックカバーＢ１を吸引パッド６１によって吸着し、シリンダー６２で持ち挙げてベルトコンベア４上の所定位置にスライド移動し、ブックカバーを所定位置に載置する。コンベアベルトが移送を開始し、色差センサーＳがブックカバーＢ１の通過を検出したとき、ベルトコンベア４が停止し、ブックカバー供給部６が次のブックカバーＢ１をベルトコンベアに供給する。隣接するブックカバーとブックカバーの間隔が糊しろ分だけ開くようにブックカバー供給部６のアーム６３の位置を調整し、スライド長さを予め設定しておくことが好ましい。ベルトコンベアで移送されたブックカバーは、エキスパンダローラー１１を経て供給される粘着フィルムＦ１がブックカバーＢ１の上面を覆い重ね合わされた状態で圧着ローラー８とバックアップ部８ａの間を通過して圧着されるので粘着フィルムＦ１とブックカバーＢ１の間の空気が押し出されて両者は密着する。
【００３０】
以後同様にこの操作が繰り返されて、隣接するブックカバーとブックカバーの中間に間隔をおいて圧着されたブックカバー被覆物Ｂ２が形成される。また、前記センサーＳを圧着ローラーと関連づけして、センサーＳがブックカバーの終端を検出すると、コントローラＣがベルトコンベアを移送するモーターＭの回転を停止するとともに圧着ローラー８を引き上げ又は加圧を弱くし、この状態でベルトコンベアを移送させ、センサーＳが次のブックカバーの始端を検出すると、圧着ローラー８を引き下げ又は加圧を強めて圧着を開始するように構成すれば、圧着ローラー８は常にブックカバーとフィルムが重なった部分のみ圧着し、それ以外の糊代部分は加圧しないこととなる。よって、感圧接着剤を使用したフィルムに対しては、糊代部分は加圧されないのでベルトコンベアとの接着を防ぐとともに、ブックカバー被覆物を本に取り付ける際に糊代部分を本に重ねて圧着すれば接着性を発揮して両者を接着する利点がある。前記ブックカバー被覆物Ｂ２は、前記間欠移送部５と連動して作動する捲取装置１０で長尺ロール状に捲き取られる。また、カッター等の切断装置（図示せず）によりブックカバーとブックカバーの中間ＣＬ１で切断されて一枚ずつのブックカバー被覆物Ｂ２としてもよい。
【００３１】
次に、第２実施の形態に係るブックカバーの貼り合わせ装置について説明する。第２実施の形態に係るブックカバーの貼り合わせ装置は、第１実施の形態に係るブックカバーの貼り合わせ装置の主要部において、１）ベルトコンベアの空気吸引装置及び押さえローラーに代えてベルトコンベアと連動する押さえベルト装置を設け、２）ブックカバー供給部に吸引パッドに連動して昇降可能なブックカバー押さえ板装置を設け、３）吸引パッドを４個から８個に増やし切替弁を介して真空ポンプと連結して負圧を発生させる吸引パッドを選択可能に設けて大きさの異なるブックカバーに対応可能とし、４）２本のベルトコンベアを間隙をおいて並列に設けて光透過部を通過する光の投光部と受光部を備えた透過式光センサー装置を設け、５）ベルトコンベアの駆動回転ローラーを圧着ローラーのバックアップローラーと兼用にし、６）フィードテーブルを固定式テーブルとし、７）ブックカバー供給装置の移送精度を高め、８）フィードテーブルに透過光センサーを設置してブックカバーのストックが無くなると警報を発し、９）ホットメルト系接着剤面を加熱する電熱ヒーター等の加熱装置を設ける、以外は第１実施の形態に係るブックカバーの貼り合わせ装置と同様である。主として、第１実施の形態と相違する点に関して以下に図面を参照して説明する。第２実施の形態と第１実施の形態のブックカバーの貼り合わせ装置を示す図において共通する部材を示す符号については共通の符号を用いることとする。
【００３２】
前記押さえベルト装置は、図９に示すようにフィルム支持スタンド３１の下方部に昇降シリンダー３３を介して昇降可能に取り付けられた前後一対の回転軸３４，３４の両端に外側ローラー３５，３５を、ブックカバーが通らないベルトコンベアの範囲に設けるとともに、同軸の中央寄りのブックカバーが通る範囲に内側ベルトローラー３６，３６を設け、外側ローラー３５の回転で内側ベルトローラー３６を回転して押さえベルト３７を作動する構成となっている。このように押さえベルト装置を設けることによって、ブックカバーの中央背部が山形に盛り上がることを予防することにより、ブックカバーを正確に配置して移送するとともに粘着フィルムとの貼り合わせ時のエアー留まりを防止できる。上からの押しつけ力は、前記昇降シリンダー圧力を調整することにより行うことができる。また、必要に応じて、内側ベルトローラーの反対側に他の押さえベルトアタッチメント３８を回動可能に設けて、供給装置が離れる前にブックカバーの先端部を押さえるように構成することが好ましい。押さえベルト３７を設けることにより、押さえローラー７は特に必要がない限り設けなくともよい。
【００３３】
図７及び８に示すように、フィードテーブルにストックされたブックカバーの上から押さえる押さえ板１８をブックカバー供給部に備えることが好ましい。係るブックカバー押さえ板１８は、ブックカバーの上に載置した時に複数の吸引パッドが当接する部分に予め馬鹿孔を穿設しておき、且つ吸引パッドの昇降動作と関連づけてシリンダーで昇降可能に構成される。そして、フィードテーブル上のブックカバーを吸引パッドで持ち上げる場合は、ブックカバー押さえ板を先に下ろしてブックカバーを平らにした後で吸引パッドを下ろすのに対して、ベルトコンベア上にブックカバーが移送された後は、吸引パッドを引き上げた後にやや遅れてブックカバー押さえ板を引き上げるように、時差作動式シリンダー６２によりブックカバー押さえ板１８と組の吸引パッド（６１a，６１ｂ，６１ｃ）を関連づけて昇降するように構成される。前記の各吸引パッドと押さえ板は時差作動式シリンダー６２に連結され支持体６５に組み込まれており、支持体６５はスライドガイド６４に沿って水平移動可能に構成される。このようにすればブックカバーの背部の盛り上がりを防いで平面状に移送することができる。また、ブックカバー押さえ板を持ち上げる際に押さえ板の直下が負圧になり同時にブックカバーが持ち上がる現象を防ぐためと軽量化するために、ブックカバー押さえ板に多数のエアー抜き用孔を穿設するか或いは網状板を用いることが好ましい。ブックカバー押さえ板の材質は特に限定されないが、例えば、プラスチック、アルミニウム、ジュラルミン等の軽金属等が好ましい。
【００３４】
また、吸引パッドの数は特に限定するものではないが、図７及び８に示すように例えば、コンベアベルト側の４個の吸引パッドを１組６１aと、後方に一対の吸引パッド２組（６１ｂ，６１ｃ）の合計８個設ける。そして、各吸引パッドは、組ごとにパイプにより切換弁Ｖを介して真空ポンプＰと連結しており、ブックカバーの大きさにより小中大に分類し、小型ブックカバーの場合は４個１組の吸引パッド６１aを開放して負圧とし、その他の吸引パッド（６１ｂ，６１ｃ）は閉鎖する。中型のブックカバーの場合は４個１組と次の１組の吸引パッド（６１a，６１ｂ）を開放し、後方の１組の吸引パッド６１ｃは閉鎖する。大型のブックカバーの場合は全ての吸引パッド（６１a，６１ｂ，６１ｃ）をそれぞれ切換弁Ｖを切り換えて開放して負圧とすることが好ましい。また、開放する弁の組み合わせと吸引力は、ブックカバーの大きさ及び重量等によって、その都度選択調整することが好ましい。
【００３５】
前記ベルトコンベアは、図示しない２本のベルトコンベアを間隙をおいて並列して設けられ、前記２本のベルトコンベアの間隙部を連続する光透過部として、図７に示すように、この光透過部を通過する直線上の一端に設けた投光部Ｅと他端に設けた受光部Ｒを備えた透過式光センサーＳを設けて、係る透過式光センサーＳによってブックカバーの終端を検出するように構成されている。前記の投光部Ｅ、受光部Ｒ及び透過式光センサーＳは、フィルム掛架装置３のフィルム支持スタンド３１に横架した横桟３２に投光部Ｅをベルトコンベア方向に向けて設け、受光部Ｒ及び透過式光センサーＳをコンベアベルトの下方側に投光部Ｅとベルトコンベアの光透過部を結ぶ直線の延長上に設ける。２本のベルトコンベアの間隙は誤作動を生じない範囲でなるべく狭くして貼り合わせ被覆物に影響を与えないようにすることが好ましい。或いは、２本のベルトコンベアの間隙部を図示しない透明性樹脂で平面状に繋いでこの透明性樹脂部を光透過部として構成してもよい。
【００３６】
図７に示すように、ベルトコンベアの駆動回転ローラー１２ａを圧着ローラー８のバックアップローラー８ａと兼用とし、ベルトコンベア４と圧着ローラー８の間にフィルムとブックカバーを挟持するようにして装置を単純化した。ブックカバー供給部の垂直移動装置用シリンダーのストロークを長くしてフィードテーブルを固定式テーブルとすることにより装置を単純化することが好ましい。水平移動装置である支持体６５をスライドガイド６４に沿って移動させる送り機構に、サーボモーターを使用したボールネジ方式の送り機構を採用すれば正確に移送することが可能であり、幅寄せガイドを圧着ロールまで延長して設ける必要が無く好ましい。更に、フィードテーブルに光透過用孔Ｉを穿設し、図示しない投光部と、受光部と、該孔を透過する光を検出する透過光センサーを前記ブックカバー検出用センサーＳと同様に設置してブックカバーのストックが無くなると警報や音声を発し、又は作業状態を示す表示灯や表示板に自動的に表示するように構成することが好ましい。粘着フィルムに代えてホットメルト系接着剤を片面に設けたフィルムを使用する場合は、圧着ローラーに入る前にホットメルト系接着剤面を加熱する電熱ヒーター、遠赤外線放射装置又は加熱ドラム等の加熱装置Ｈを設ける必要がある。また、必要に応じて第１実施の形態に係るブックカバーの貼り合わせ装置におけるエキスパンダーローラーを用いてもよい。また、粘着フィルムを圧着ローラーとバックアップローラーの間に供給するのに代えて、押さえベルトとベルトコンベアの間に供給して、押さえベルトで予備的なエアー抜きをした後で圧着ローラーで圧着させるように構成してもよい（図示せず）。
【００３７】
上記実施の形態に記載した貼り合わせ装置は例示であり、本発明はこれらに限定されるものではない。第１実施の形態と第２実施の形態に記載した貼り合わせ装置の各要素や部材を互いに交換して組み合わせたフィルムとブックカバーの貼り合わせ装置も本発明の範囲に含まれる。例えば、第１実施の形態に係るフィルムとブックカバーの貼り合わせ装置において、第１実施の形態に係るブックカバー供給部を第２実施の形態のブックカバー供給部と交換したフィルムとブックカバーの貼り合わせ装置、或いは、逆に第２実施の形態に係るフィルムとブックカバーの貼り合わせ装置において、第２実施の形態に係るフィルムとブックカバーの貼り合わせ装置の要素や部材を第１実施の形態に係るフィルムとブックカバーの貼り合わせ装置の要素や部材と交換したフィルムとブックカバーの貼り合わせ装置は何れも本発明の範囲に含まれる。
【００３８】
ブックカバーＢ１は、予め、本から取り外して天地幅が同じものを揃える。この際に、本とブックカバーが対応可能なように、予め両者に同一の識別記号、例えば顧客記号と書籍番号を組み合わせた識別記号を付けておき、後で本の表紙にブックカバーを固着するときの目安となるように構成することが好ましい。次に、図５に示すように、ブックカバーＢ１の両側の折返部Ｂ５の天地端部ＣＬ４を斜めに切断して、表紙の裏側に粘着フィルムが貼り付き易くなるようにすることが好ましい。図２に示すように、粘着フィルムの幅を予め余尺として若干広くとっておき、スリッターで両側のスリット部Ｒ２を切断して幅を揃えるようにしてもよい。ブックカバーの天地方向長さＬ１と粘着フィルムのスリット幅Ｌ２との差は本の大きさや厚みなどに応じて適宜設定すればよく特に限定するものではないが、例えば、両側で約４ｃｍ前後、片側それぞれ約２ｃｍ前後とるのが好ましい。同様に、隣同士に配置されるブックカバーの間隔もそれぞれ約２ｃｍ前後、合計約４ｃｍ前後とることが好ましい。また、ブックカバーは、この他に図示しない配置方法、即ちブックカバーの左右両側の折返部Ｂ５を展開した状態で天地方向を粘着フィルムの長手方向に向けて適宜間隔を開けて配置してもよい。表１に種々の本のサイズと必要な粘着フィルム幅（フィルム幅）の関係を示す。
【００３９】
【表１】
2010188559.tif 000003
【００４０】
次に、図３に示すように、ブックカバー被覆物Ｂ２の四隅の角部分ＣＬ２を裁断し、更に中央の背部Ｂ３近傍に切り込みＣＬ３を形成する。四隅の角部分はブックカバーの角部より若干外側に約４５度位の角度αで切断し、ブックカバーの背部折り曲げ部より若干左右端寄りにブックカバーの天地辺に対して約７０度位の角度βで切り込みを形成する。最後に、ブックカバーとブックカバーの中間部で切断して１枚ずつに切り離す。これらの加工はレーザービーム等を使用するのが好ましく、Ｘ−Ｙプロッター式カッター又は打ち抜き型による抜き加工でもよい。また、前記加工の順序は例示であって、加工の手順を限定するものでなく、例えば、最初に１枚ずつ切り離した後で個々の裁断や切り込み加工を行ってもよく、加工方法に合わせて最も作業に適した手順を選択すればよい。
【実施例１】
【００４１】
次に、図１０に示すように、切り込み加工後のブックカバー被覆物Ｂ２をそれぞれ１枚ずつ本の表紙に固着し、従来の手法と比較した。先ず、図４に示すように、天地両方の背部切り込み部の粘着フィルム折返部Ｆ３１，Ｆ３１をそれぞれ折り返してブックカバーの裏側に貼り付けた。それから、ブックカバーの左右どちらか一方を本の表紙に被せ、粘着フィルム折返部Ｆ３２及びＦ３３，Ｆ３３の順に表紙の裏側に貼り付けて固着した。本の裏表紙の裏側に、ブックカバーのもう一方を被せ同様の手順にて粘着フィルムで固着して完成する。ブックカバー被覆物Ｂ２を本の表紙に固着する際に従来法における粘着フィルムに巻き込まれた空気抜きの作業が不要となり作業性が格段に向上し、しかも空気を全く巻き込むことがないので見栄えがよく仕上がり状態に優れていることが確認された。また、粘着フィルムに代えてホットメルト系接着剤を片面に塗布又は積層したフィルムを使用したものは、加熱した鏝やホットプレス等により接着剤を溶融して本に固着する必要があり、感圧接着剤を使用したフィルムを使用したものは、加圧装置により接着する必要がある。
【産業上の利用可能性】
【００４２】
本発明に係る本のカバー掛け方法及びブックカバーの貼り合わせ装置は、図書館や学校など本の汚れや破損防止のためにブックカバーを透明な粘着フィルムで覆って本を保護する需要の増加に伴うスピードアップと大量生産の要求に充分に応えられるので極めて有用である。
【符号の説明】
【００４３】
１：貼り合わせ装置、２：フレーム、３：フィルム掛架装置、３１：フィルム支持スタンド、３２：横桟、３３：昇降シリンダー、３４：回転軸、３５：外側ローラー、３６：内側ベルトローラー、３７：押さえベルト、３８：ベルトアタッチメント、４：ベルトコンベア、４ａ：上部ベルトコンベア、４１：吸引孔、５：間欠移送部、６：ブックカバー供給部、６１：吸引パッド、６１a，６１ｂ，６１ｃ：１組の吸引パッド、６２：シリンダー、６３：アーム、６４：スライドガイド、６５：支持体、６６：フィードテーブル、６７：幅寄せガイド、６７ａ：幅寄せハンドル、６８：前寄せガイド、６９：高さ調整装置、６９ａ：昇降ハンドル、７：押さえローラー、８：圧着ローラー、８ａ：バックアップ部、９：移送用ローラー、１０：捲取装置、１１：エキスパンダローラー、１２ａ，１２ｂ：回転ローラー、１３：有孔平板、１４：負圧室、１５：パイプ、１６：制御盤、１７：操作スイッチ板、１８：押さえ板、
Ｆ１：粘着フィルム、Ｂ１：ブックカバー、Ｂ２：ブックカバー被覆物、Ｂ３：背部、Ｂ４：片側、Ｂ５：ブックカバー折返部、Ｆ３１，Ｆ３２，Ｆ３３：粘着フィルム折返部、
Ｌ１：ブックカバーの天地方向長さ、Ｌ２：スリット幅、Ｌ３：スリット前被覆物の幅、
ＣＬ１，ＣＬ２，ＣＬ３，ＣＬ４：切断線、Ｒ２：スリット部、
Ｔ：タイマー、Ｃ：コントローラ、Ｓ：センサー、Ｍ：モーター、Ｐ：真空ポンプ、Ａ：着色テープ、Ｖ：切換弁、Ｅ：投光部、Ｒ：受光部、Ｉ：光透過用孔、Ｈ：加熱装置（電熱ヒーター）
【図１】
2010188559.tif 000004
【図２】
2010188559.tif 000005
【図３】
2010188559.tif 000006
【図４】
2010188559.tif 000007
【図５】
2010188559.tif 000008
【図６】
2010188559.tif 000009
【図７】
2010188559.tif 000010
【図８】
2010188559.tif 000011
【図９】
2010188559.tif 000012
【図１０】
2010188559.tif 000013